(57)【特許請求の範囲】
【請求項１】
ステータと、
軸方向に延びる収容孔を有し、前記ステータの径方向内側において回転軸を中心に回転可能に配置されたロータコアと、
前記収容孔に収容されたネオジム磁石と
前記ネオジム磁石の径方向外側面における周方向の第１端部を覆う第１フェライト磁石と、
前記ネオジム磁石の径方向外側面における周方向の第２端部を覆う第２フェライト磁石と、
を備え、
前記第１フェライト磁石は、前記第２フェライト磁石と間隔をあけて配置され、
前記ネオジム磁石の径方向外側面における周方向の中央部は、前記ロータコアと接触する、
回転電機。
【請求項２】
前記ネオジム磁石は、ジスプロシウムを含まない、
請求項１に記載の回転電機。
【発明の詳細な説明】
【技術分野】
【０００１】
本発明は、回転電機に関するものである。
【背景技術】
【０００２】
ハイブリッドカー及び電気自動車などに、動力源として回転電機が用いられている。なお、ハイブリッドカー及び電気自動車は、回転電機として、ロータコア内に永久磁石が埋め込まれたＩＰＭ（Interior Permanent Magnet）モータを広く採用している。この永久磁石にステータコイルによる逆磁界が作用すると、磁界と直行する方向における永久磁石の両端部で減磁が発生するという問題がある（特許文献１参照）。
【先行技術文献】
【特許文献】
【０００３】
【特許文献１】特許第４４６６６８１号公報
【発明の概要】
【発明が解決しようとする課題】
【０００４】
上述したような永久磁石の減磁を防ぐため、例えば、ジスプロシウムを添加した磁石をロータコアに埋め込むなどの対応を施している。しかしながら、ジスプロシウムは高価であるため、コストが高くなるという問題が生じる。
【０００５】
本発明の課題は、コストを抑えつつ磁石の減磁を抑制することにある。
【課題を解決するための手段】
【０００６】
本発明のある側面に係る回転電機は、ステータと、ロータコアと、ネオジム磁石と、第１フェライト磁石と、を備えている。ロータコアは、軸方向に延びる収容孔を有している。ロータコアは、ステータの径方向内側において回転軸を中心に回転可能に配置されている。ネオジム磁石は、収容孔に収容されている。第１フェライト磁石は、ネオジム磁石の径方向外側面における周方向の第１端部を覆っている。
【０００７】
この構成によれば、第１フェライト磁石がネオジム磁石の第１端部を覆っているため、ネオジム磁石の第１端部における減磁を抑制することができる。なお、フェライト磁石はあまり高価ではないため、ジスプロシウムをネオジム磁石に添加させるよりも安価である。また、回転電機が作動する温度域において、フェライト磁石は減磁しにくい。このため、第１フェライト磁石の減磁も抑制することができる。
【０００８】
好ましくは、回転電機は、第２フェライト磁石をさらに備える。第２フェライト磁石は、ネオジム磁石の径方向外側面における周方向の第２端部を覆っている。この構成によれば、ネオジム磁石の第２端部の減磁も抑制することができる。
【０００９】
好ましくは、ネオジム磁石の径方向外側面における周方向の中央部は、ロータコアと接触する。
【００１０】
好ましくは、第１フェライト磁石は、第２フェライト磁石と間隔をあけて配置される。
【００１１】
好ましくは、ネオジム磁石は、ジスプロシウムを含まない。
【発明の効果】
【００１２】
本発明によれば、コストを抑えつつ磁石の減磁を抑制することができる。
【図面の簡単な説明】
【００１３】
【図１】回転電機の正面図。
【図２】ロータコアの正面図。
【図３】ロータの拡大図。
【図４】変形例に掛かるロータコアの正面図。
【図５】従来の回転電機の解析結果を示す図。
【図６】本実施形態に係る回転電機の解析結果を示す図。
【図７】ネオジム磁石及びフェライト磁石の特性を示すグラフ。
【発明を実施するための形態】
【００１４】
以下、本発明に係る回転電機の実施形態について図面を参照しつつ説明する。なお、以下の説明において、軸方向とは、回転軸が延びる方向を示す。径方向とは、回転軸を中心とした円の径方向を示す。周方向とは、回転軸を中心とした円の周方向を示す。
【００１５】
図１に示すように、回転電機１００は、ステータ１と、ロータ２とを備えている。ステータ１の径方向内側にロータ２が回転可能に配置されている。この回転電機１００は、例えばモータとして機能する。なお、回転電機１００は、具体的にはＩＰＭ（Ｉｎｔｅｒｉｏｒ  Ｐｅｒｍａｎｅｎｔ  Ｍａｇｎｅｔ）モータである。
【００１６】
ステータ１は、略円筒形状である。ステータ１は、ステータコア１１と、ステータコア１１に巻かれたステータコイル１２とを有している。ステータコア１１は、複数枚の電磁鋼板を軸方向に積層してなる。
【００１７】
ロータ２は、ロータコア２１と、複数のネオジム磁石２２と、複数の第１フェライト磁石２３と、複数の第２フェライト磁石２４を備えている。ロータ２は、ステータ１の径方向内側において、回転軸Ｏを中心に回転可能に構成されている。
【００１８】
ロータコア２１は、略円筒形状であって、軸方向に延びる取付孔２１１を有している。この取付孔２１１に出力軸が取り付けられる。ロータコア２１は、複数枚の電磁鋼板を軸方向に積層してなる。ロータコア２１は、ステータ１の径方向内側において、回転軸Ｏを中心に回転可能に配置されている。
【００１９】
図２はロータコア２１を示す正面図である。図２に示すように、ロータコア２１は、複数対の収容孔２１２と、複数のブリッジ部２１３と、を有している。各収容孔２１２は、軸方向に延びている。各収容孔２１２は、周方向において、互いに間隔をあけて配置されている。詳細には、ブリッジ部２１３を介して対となった収容孔対２１０が、隣り合う収容孔対２１０と間隔をあけて配置されている。また、各収容孔２１２は、ロータコア２１の外周端部に配置されている。
【００２０】
対となった２つの収容孔２１２は、周方向において互いに間隔をあけて配置されている。この２つの収容孔２１２の間にブリッジ部２１３が配置されている。ブリッジ部２１３は、径方向に延びている。なお、一対の収容孔２１２は、軸方向視において、Ｖ字状に配置されている。
【００２１】
図３はロータ２の詳細を示す拡大図である。図３に示すように、各ネオジム磁石２２は、収容孔２１２内に収容されている。各ネオジム磁石２２は、軸方向に延びている。軸方向視において、一対のネオジム磁石２２は、Ｖ字状に配置されている。ネオジム磁石２２の径方向外側面は、周方向において、第１端部２２１、第２端部２２２、中央部２２３を有する。本実施形態において、第１端部２２１は、ブリッジ部２１３から離れた側の端部であり、第２端部２２２は、ブリッジ部２１３側の端部である。中央部２２３は、第１端部２２１と第２端部２２２との間の領域である。なお、ネオジム磁石２２の径方向外側面は、径方向の外側を向く面である。すなわち、ネオジム磁石２２の径方向外側面は、径方向において、ステータ１を向いている。ネオジム磁石２２は、ジスプロシウムを含んでいないことが好ましい。
【００２２】
第１フェライト磁石２３は、収容孔２１２内に配置されている。第１フェライト磁石２３は、ネオジム磁石２２の径方向外側面の第１端部２２１を覆っている。第１フェライト磁石２３は、軸方向に延びている。好ましくは、第１フェライト磁石２３は、ネオジム磁石２２と軸方向において略同じ長さを有する。このように、ネオジム磁石２２の第１端部２２１は、第１フェライト磁石２３によって覆われているため、ロータコア２１と接触していない。
【００２３】
第２フェライト磁石２４は、収容孔２１２内に配置されている。第２フェライト磁石２４は、ネオジム磁石２２の径方向外側面の第２端部２２２を覆っている。第２フェライト磁石２４は、軸方向に延びている。好ましくは、第２フェライト磁石２４は、ネオジム磁石２２と軸方向において略同じ長さを有する。すなわち、第２フェライト磁石２４は、配置場所を除き、第１フェライト磁石２３と同じ構成である。このように、ネオジム磁石２２の第２端部２２２は、第２フェライト磁石２４によって覆われているため、ロータコア２１と接触していない。
【００２４】
第１フェライト磁石２３と第２フェライト磁石２４とは、互いに周方向において間隔をあけて配置されている。このため、ネオジム磁石２２の中央部２２３は、第１フェライト磁石２３にも第２フェライト磁石２４にも覆われていない。このため、ネオジム磁石２２の中央部２２３は、ロータコア２１と接触している。
【００２５】
［変形例］
以上、本発明の実施形態について説明したが、本発明はこれらに限定されるものではなく、本発明の趣旨を逸脱しない限りにおいて種々の変更が可能である。
【００２６】
変形例１
上記実施形態のネオジム磁石２２において、第１端部２２１はブリッジ部２１３から離れた側の端部であり、第２端部２２２はブリッジ部２１３側の端部であるが、逆であってもよい。すなわち、第１端部２２１はブリッジ部２１３側の端部であり、第２端部２２２はブリッジ部２１３から離れた側の端部であってもよい。この場合、第１フェライト磁石２３はブリッジ部２１３側の端部である第１端部２２１を覆い、第２フェライト磁石２４はブリッジ部２１３から離れた側の第２端部２２２を覆う。
【００２７】
変形例２
上記実施形態では、２つの収容孔２１２が対となっているが、収容孔２１２は対になっていなくてもよい。例えば、図４に示すように、各収容孔２１２は、互いに等間隔に配置されていてもよい。
【００２８】
（実施例）
図５は、ネオジム磁石を単独で用いた場合の電磁解析結果を示す図であり、図６は第１及び第２フェライト磁石によって両端部が覆われたネオジム磁石に関する電磁解析結果を示す図である。図５及び図６において、図中の数字は、矢印で示した箇所における残留磁束密度（Ｔ：テスラ）を示す。また、図７は、各磁石の磁束密度と磁界の強さを示すグラフである。図７において、線Ｘはネオジム磁石の特性を示し、線Ｙはフェライト磁石の特性を示す。
【００２９】
図５に示すように、ネオジム磁石を単独で用いた場合では、ネオジム磁石の端部の残留磁束密度は０．２９Ｔである。図７を見ると、ネオジム磁石の残留磁束密度が０．２９Ｔとなると、不可逆領域Ａに属する。このため、ネオジム磁石の端部が減磁していることが分かる。
【００３０】
これに対して、図６に示すように、ネオジム磁石の端部の残留磁束密度は、０．５９Ｔ、０．５６Ｔ、及び０．５８Ｔである。図７を見ると、ネオジム磁石の残留磁束密度が０．５９Ｔ、０．５６Ｔ、及び０．５８Ｔになっても、不可逆領域Ａには属していない。このため、ネオジム磁石の端部が減磁していないことが分かる。すなわち、フェライト磁石で両端部を覆うことによって、ネオジム磁石の各端部の減磁を抑制できることが分かる。また、図６に示すように、フェライト磁石の端部の残留磁束密度は、０．１７Ｔとなっている。図７を見ると、フェライト磁石は不可逆領域がないため、残留磁束密度が０．１７Ｔになっても、減磁しない。
【符号の説明】
【００３１】
１        ：ステータ
２        ：ロータ
２１      ：ロータコア
２２      ：ネオジム磁石
２３      ：第１フェライト磁石
２４      ：第２フェライト磁石
１００    ：回転電機
２１２    ：収容孔
２２１    ：第１端部
２２２    ：第２端部
２２３    ：中央部
Ｏ        ：回転軸
【図１】
0006577831.tif 000002
【図２】
0006577831.tif 000003
【図３】
0006577831.tif 000004
【図４】
0006577831.tif 000005
【図５】
0006577831.tif 000006
【図６】
0006577831.tif 000007
【図７】
0006577831.tif 000008